(57)【要約】      （修正有）【課題】衝撃、磨耗に強く、またロープの柔軟性を損なうこと無く、キンクを防ぎ、さらに必要な長さに容易に調整の出来るロープ等の保護具を提供する。【解決手段】円筒状の鞘管２を複数個連続的に嵌合させてロープ１に挿通するようにしてなる。また鞘管２に、その前方を突出させた凸部４と、後方を凹ませた凹所５とを設け、複数個の鞘管２をロープ１に挿通し連結したときに後方の鞘管２の凸部４が鞘管２の凹所５に嵌合するようにしてなる。鞘管２の前後に設けた凸部４と凹所５が、鞘管２の平坦な外周面３から内方に向けて同一方向に傾斜させた円錐面に形成してある。【選択図】図１
0003130992.tif 000002
【実用新案登録請求の範囲】
【請求項１】
円筒状の鞘管（２）を複数個連続的に嵌合させてロープ（１）に挿通するようにしたロープ等の保護部材。
【請求項２】
前記鞘管（２）に、その前方を突出させた凸部（４）と、後方を凹ませた凹所（５）とを設け、複数個の鞘管（２）をロープ（１）に挿通し連結したときに後方の鞘管（２）の凸部（４）が前方鞘管（２）の凹所（５）に嵌合するようにした請求項１記載のロープ等の保護部材。
【請求項３】
前記鞘管（２）の前後に設けた凸部（４）と凹所（５）が、鞘管（２）の平坦な外周面（３）から内方に向けて同一方向に傾斜させた円錐面である請求項２記載のロープ等の保護部材。
【請求項４】
前記鞘管（２）に形成した前方の円錐状凸部（４）の傾斜角αを後方の円錐状凹所（５）の傾斜角βよりも鋭角にした請求項３記載のロープ等の保護部材。
【請求項５】
前記円錐状凸部（４）の傾斜角α＜４５°とし、後方の円錐状凹所（５）の傾斜角β＞４５°とした請求項４記載のロープ等の保護部材。
【請求項６】
前記前方の円錐状凸部（４）の先端を鞘管（２）の軸に直交してカットした垂直面（６）とした請求項３または請求項４または請求項５記載のロープ等の保護部材。
【請求項７】
連結した鞘管（２）の両端にある鞘管（２）に設けた穴７にピン（８）を差し込んで鞘管（２）とロープ（１）とを固定するようにした請求項１または請求項２または請求項３記載のロープなどの保護部材。
【考案の詳細な説明】
【技術分野】
【０００１】
本考案は、ロープ、ひも、ケーブル等が構造物等に接触するなどして生ずる摩耗および衝撃による破損、破断を防止するロープ等の保護部材に関する。
【背景技術】
【０００２】
船舶や漁具の固定、または家畜等の牽引等に使用するロープは柵や柱などの構造物に当たると、その衝撃が１箇所に集中して磨耗・破断、またはキンク（よじれ）が発生する事がある。
【０００３】
かかるロープの磨耗、破損等を防止するため種々のロープ保護具が提案されている。例えば特許文献１のものは、樹木による電線・ケーブルの磨耗を防止するため、外周面に研磨機能を有する筒状の保護カバーを電線に被せたものであり、また特許文献２は、船舶などの牽引や係留に用いるロープの保護カバーとしてロープに柔軟性、伸縮性がある筒状編組体を被せたものであり、特許文献３は、船舶などの曳航、係留に用いられるロープの基端に装着する円筒状保護カバーの脱着を容易にする手段であり、また特許文献４のものは、家畜の牽引ロープに装着するビニールホースを開示する。
【０００４】
然しながら何れもロープ全体に装着するか、保護すべきロープの基部に一定の長さの円筒状保護カバーを装着するものであるため、その材質を固めにするとロープの柔軟性が損なわるという問題があった。また現場で必要に応じ保護カバーの長さを容易に調整できるものが無かった。
【特許文献１】特開２００５―８０３９０号公報
【特許文献２】登録実用新案第３０７７４６６号公報
【特許文献３】実開平６―５１２９５号公報
【特許文献４】実開昭５５―１３６２５５号公報
【考案の開示】
【考案が解決しようとする課題】
【０００５】
本考案は懸かる従来の問題点を解決するために為されたもので衝撃、磨耗に強く、またロープの柔軟性を損なうこと無く、キンクを防ぎ、さらに必要な長さに容易に調整の出来るロープ等の保護具を提供する。
【課題を解決するための手段】
【０００６】
上記課題を解決する為、本考案のロープ等の保護部材は、円筒状の鞘管２を複数個連続的に嵌合させてロープ１に挿通するようにした。また前記鞘管２に、その前方を突出させた凸部４と、後方を凹ませた凹所５とを設け、複数個の鞘管２をロープ１に挿通し連結したときに後方の鞘管２の凸部４が前方鞘管２の凹所５に嵌合するようにした。
【０００７】
前記鞘管２の前後に設けた凸部４と凹所５が、鞘管２の平坦な外周面３から内方に向けて同一方向に傾斜させた円錐面に形成した。そして前記鞘管２に形成した前方の円錐状凸部４の傾斜角αを後方の円錐状凹所５の傾斜角βよりも鋭角にした。また前記円錐状凸部４の傾斜角α＜４５°とし、後方の円錐状凹所５の傾斜角β＞４５°とした。
【０００８】
前記前方の円錐状凸部４の先端を鞘管２の軸に直交してカットした垂直面６とした。また連結した鞘管２の両端にある鞘管２に設けた穴７にピン８を差し込んで鞘管２とロープ1とを固定するようにしたこと等を特徴としている。
【考案の効果】
【０００９】
本考案のロープ等の保護部材は、所要の個所に単一な鞘管２を必要とする数ほど複数個連続的に嵌合させてロープ１に挿通し、後方の鞘管２の凸部４が前方鞘管２の凹所５に嵌合するようにしたものであるからロープの屈曲性が損なわれることが無い。
【００１０】
またロープ先端に設けた輪の部分、または柱などに当たる部分に限定する等、現場で必要な長さに合わせてロープの所要の個所に複数個の鞘管を嵌めこむことも可能である。そしてロープの摩擦部分の磨耗、破損が緩和され、同一箇所のキンク(折れ)を無くし、１箇所のキンクのため全体交換という不経済な面も改善される。
【考案を実施するための最良の形態】
【００１１】
本考案のロープ等の保護部材は、円筒状の鞘管２を複数個連続的に嵌合させてロープ１に挿通しロープ１を保護するようにしたものである。そして前記鞘管２に前方を突出させた凸部４と、後方を凹ませた凹所５とを設け、複数個の鞘管２をロープ１に挿通し連結したとき、後方の鞘管２の凸部４が前方鞘管２の凹所５に嵌合するようにした。
【実施例１】
【００１２】
本考案の好適な実施例を図面に基づき説明する。ロープ１の外周を覆うようにした本考案のロープの保護部材は、図１及び図２に示すように単一な円筒状の鞘管２を複数個連続して嵌合させてロープ１に挿通し、ロープ１を保護するようにしたものである。
【００１３】
そして図３及び図４に示すように、この鞘管２はその前方を突出させた凸部４と、また後方は凹ませた凹所５とを有するように形成した。またこの凸部４と凹所５は、鞘管２の平坦な外周面３から内方に向けてそれぞれ同一方向に傾斜させた円錐面を形成するようにしたものである。そして前方の円錐凸部４の傾斜角αを後方の円錐凹所５の傾斜角βよりも鋭角にした。すなわち傾斜角α＜傾斜角βの関係とした。そして傾斜角α＜４５°、傾斜角β＞４５°とすることが望ましい。また前方の円錐面４の先端を鞘管２の軸に直交してカットした垂直面６とした。
【００１４】
使用する場合は、ロープ１の保護すべき必要な長さに相当する複数個の鞘管２をロープ１へ挿通する。そして前後の鞘管２がそれぞれ嵌合するように連結し、連結した鞘管２の両端にある鞘管2に設けた穴７にピン８を差し込み、連結した複数個の鞘管２がロープ1の所要の位置でずれないように固定する。
【００１５】
前後の鞘管２が相互にその円錐凸部４と円錐凹所５を嵌合した状態では、後方鞘管２の前方凸部４先端をカットした垂直面６の隅部が前方鞘管２の鈍角な凹所５の傾斜面に当接する。このとき前方鞘管2の円錐凸部４の傾斜角αが、後方鞘管２の円錐凹所５の傾斜角βよりも鋭角なので円錐面同士が当接することが無い。従って前後の鞘管２同士は自在に屈曲することが出来る。
【００１６】
鞘管２の材質は、塩化ビニール系の樹脂材、または鉄、アルミなど金属材としても良い。また樹脂製パイプの場合、ロープ１の径が１３ｍｍなら鞘管２の厚みは４ｍｍ〜６ｍｍとするのが望ましい。
【００１７】
図５は、ロープの先端輪９を係留杭に掛ける場合であり、先端輪９の部分に連続して保護部材である鞘管２を複数個装着してある。また隣接する柱などに当接する個所にも同様に鞘管２の保護部材を装着する。図６は、家畜等の牽引ロープに使用する事例である。家畜の口輪近傍の適宜な長さ部分と、先端の握り輪１０部分に連続して保護部材である鞘管２を複数個装着するようにした。
【００１８】
従来大型家畜の牽引は、引き縄などロープを手に巻きつけ引いているので急激な動きの時ロープを握った手を損傷するなどの危険がある。この様な事故を防ぐため図６のように手元用の握り輪１０を設け、この個所に連続して保護部材である鞘管２を複数個装着する。急激な引きが生じた場合、握った手を開く事で絡まず、直ぐに手から外れる利点がある。
【００１９】
また家畜が口輪近傍のロープを噛み斬る事が多々ある。この噛む切りを防止するため家畜の口輪近傍の適宜な長さ部分に連続して保護部材である鞘管２を複数個装着した。家畜等は食物の硬さ以上のものは噛まない習性があるためロープの噛み切りを防ぐことが出来る。
【図面の簡単な説明】
【００２０】
【図１】本考案の保護部材をロープへ装着した状態を示す斜視図である。
【図２】本考案の保護部材をロープへ装着した状態を示す断面図である。
【図３】鞘管２の断面図である。
【図４】鞘管２の斜視図である。
【図５】保護部材を装着したロープを係留杭に掛ける説明図である。
【図６】保護部材を装着したロープで家畜を係留する説明図である。
【符号の説明】
【００２１】
１  ロープ
２  鞘管
３  平坦な外周面
４  凸部
５  凹所
６  垂直面
７  穴
８  ピン
９  先端輪
１０  握り輪
【図１】
0003130992.tif 000003
【図２】
0003130992.tif 000004
【図３】
0003130992.tif 000005
【図４】
0003130992.tif 000006
【図５】
0003130992.tif 000007
【図６】
0003130992.tif 000008
【手続補正書】
【提出日】平成19年2月2日(2007.2.2)
【手続補正１】
【補正対象書類名】実用新案登録請求の範囲
【補正対象項目名】請求項１
【補正方法】変更
【補正の内容】
【請求項１】
円筒状の鞘管（２）を複数個連続的に嵌合させてロープ（１）、ひも、ケーブル等に挿通するようにしたロープ等の保護部材。
【手続補正２】
【補正対象書類名】実用新案登録請求の範囲
【補正対象項目名】請求項７
【補正方法】変更
【補正の内容】
【請求項７】
前記連結した鞘管（２）の両端にある鞘管2に設けた穴（７）にピン（８）を差し込んで鞘管（２）とロープ（１）とを固定するようにした請求項１または請求項２または請求項３記載のロープ等の保護部材。
【手続補正書】
【提出日】平成19年2月5日(2007.2.5)
【手続補正１】
【補正対象書類名】明細書
【補正対象項目名】０００６
【補正方法】変更
【補正の内容】
【０００６】
上記課題を解決する為、本考案のロープ等の保護部材は、円筒状の鞘管２を複数個連続的に嵌合させてロープ１、ひも、ケーブル等に挿通するようにした。また前記鞘管２に、その前方を突出させた凸部４と、後方を凹ませた凹所５とを設け、複数個の鞘管２をロープ１に挿通し連結したときに後方の鞘管２の凸部４が前方鞘管２の凹所５に嵌合するようにした。